(57)【要約】【課題】ユーザが所望の動画像を容易に検索することのできる録画再生装置を提供する。【解決手段】本発明の一態様に係るレコーダ（３）は、録画部（２０１）によって録画される動画像を複数の期間に分け、各期間に対応したサムネイル画像を生成するサムネイル画像生成部（２０２）と、動画像を再生すると共に、再生中の動画像にサムネイル画像を重畳する再生部（２１５）と、を備え、再生部（２１５）は、再生中の動画像に当該再生中の動画像とは異なる他の動画像から生成されたサムネイル画像を重畳する。【選択図】図８
2015198440.tif 000002
【特許請求の範囲】
【請求項１】
動画像を録画する録画手段と、
上記録画手段によって録画される動画像を複数の期間に分け、各期間に対応したサムネイル画像を生成するサムネイル画像生成手段と、
上記録画手段によって録画された動画像を再生する再生手段と、
上記再生手段によって再生中の動画像に、上記サムネイル画像生成手段によって生成された上記サムネイル画像を重畳する重畳手段と、を備え、
上記重畳手段は、上記再生中の動画像に当該再生中の動画像とは異なる他の動画像から生成されたサムネイル画像を重畳する、
ことを特徴とする録画再生装置。
【請求項２】
上記重畳手段は、上記再生中の動画像に、当該再生中の動画像と所定の関係を有する上記他の画像から生成されたサムネイル画像を重畳する、
ことを特徴とする請求項１に記載の録画再生装置。
【請求項３】
上記サムネイル画像生成手段によって動画像から生成されたサムネイル画像の全部又は一部を時間順に配列したサムネイル一覧画像を生成する一覧画像生成手段をさらに備え、
上記重畳手段は、上記再生中の動画像に、上記他の動画像から生成されたサムネイル画像の全部又は一部から上記一覧画像生成手段によって生成されたサムネイル一覧画像を重畳する、
ことを特徴とする請求項１又は２に記載の録画再生装置。
【請求項４】
録画再生装置の録画再生方法であって、
動画像を録画する録画ステップと、
上記録画ステップにおいて録画される動画像を複数の期間に分け、各期間に対応したサムネイル画像を生成するサムネイル画像生成ステップと、
上記録画ステップにおいて録画された動画像を再生する再生ステップと、
上記再生ステップにおいて再生中の動画像に、上記サムネイル画像生成ステップにおいて当該再生中の動画像とは異なる他の動画像から生成されたサムネイル画像を重畳する重畳ステップと、を含んでいる、
ことを特徴とする録画再生方法。
【請求項５】
請求項１から３のいずれか１項に記載の録画再生装置としてコンピュータを機能させるためのプログラムであって、コンピュータを上記各手段として機能させるためのプログラム。
【発明の詳細な説明】
【技術分野】
【０００１】
本発明は、動画像の録画及び再生を行う録画再生装置、録画再生装置の録画再生方法、および、録画再生装置として機能させるためのプログラムに関する。
【背景技術】
【０００２】
近年、放送番組などを録画する録画機能を有する録画再生装置において、録画に関する作業の利便性から、録画済の放送番組（録画番組）は、大量に録り溜められていることが多くなってきている。そこで、大量に録り溜められた録画番組の中から、ユーザが所望する録画番組を効率的に選択して再生させる技術が提案されている。
【０００３】
例えば、特許文献１には、指定された番組と所定の相対関係を満たす番組が検索され、検索された番組が自動的にまとめて選択されるという技術が開示されている。
【先行技術文献】
【特許文献】
【０００４】
【特許文献１】特開２００７−２３５６１１号公報（２００７年９月１３日公開）
【発明の概要】
【発明が解決しようとする課題】
【０００５】
しかしながら、上述のような従来技術では、ユーザが所望の録画番組（動画像）を探すために手間がかかり、操作が煩雑になってしまうという問題がある。
【０００６】
例えば、ある録画番組（例えば、ドラマＡの第Ｎ話）の再生中に、別の録画番組（例えば、ドラマＡの第（Ｎ−１）話）を再生させるためには、或る録画番組の再生を中断して録画番組の一覧の中から番組を選択し直す必要がある。また、特許文献１では、録画番組の一覧（リスト）に含まれる何れの録画番組が所望の録画番組であるかをユーザが確認するためには、各録画番組を実際に再生しなければならない。
【０００７】
本発明は、上記の課題を解決するためになされたものであり、その目的は、ユーザが所望の動画像を容易に検索することのできる録画再生装置を提供することにある。
【課題を解決するための手段】
【０００８】
上記の課題を解決するために、本発明の一態様に係る録画再生装置は、動画像を録画する録画手段と、上記録画手段によって録画される動画像を複数の期間に分け、各期間に対応したサムネイル画像を生成するサムネイル画像生成手段と、上記録画手段によって録画された動画像を再生する再生手段と、上記再生手段によって再生中の動画像に、上記サムネイル画像生成手段によって生成された上記サムネイル画像を重畳する重畳手段と、を備え、上記重畳手段は、上記再生中の動画像に当該再生中の動画像とは異なる他の動画像から生成されたサムネイル画像を重畳する。
【０００９】
また、本発明の一態様に係る録画再生方法は、録画再生装置の録画再生方法であって、動画像を録画する録画ステップと、上記録画ステップにおいて録画される動画像を複数の期間に分け、各期間に対応したサムネイル画像を生成するサムネイル画像生成ステップと、上記録画ステップにおいて録画された動画像を再生する再生ステップと、上記再生ステップにおいて再生中の動画像に、上記サムネイル画像生成ステップにおいて当該再生中の動画像とは異なる他の動画像から生成されたサムネイル画像を重畳する重畳ステップと、を含んでいる。
【発明の効果】
【００１０】
本発明の一態様によれば、上記録画再生装置は、ユーザによる所望の動画像の検索を容易にすることができる。
【図面の簡単な説明】
【００１１】
【図１】本発明の一実施形態に係るレコーダの要部構成を示すブロック図である。
【図２】本発明の一実施形態に係るリスト生成部によって生成される録画リストの一例を示す図である。
【図３】本発明の一実施形態に係るリスト生成部によってサムネイル一覧画像の重畳された録画リストの一例を示す図である。
【図４】本発明の一実施形態に係るリスト生成部によってサムネイル一覧画像の重畳された録画リストの他の一例を示す図である。
【図５】本発明の一実施形態に係る再生部によってサムネイル一覧画像の重畳された再生画面の一例を示す図である。
【図６】本発明の他の実施形態に係るレコーダの要部構成を示すブロック図である。
【図７】本発明の他の実施形態に係る再生部によってサムネイル一覧画像の重畳された再生画面の一例を示す図である。
【図８】本発明の他の実施形態に係るレコーダの要部構成を示すブロック図である。
【図９】本発明の他の実施形態に係るレコーダのリスト生成部及び再生部により生成される画面の遷移の一例を示す図である。
【図１０】本発明の他の実施形態に係るレコーダのリスト生成部及び再生部により生成される画面の遷移の一例を示す図である。
【図１１】本発明の他の実施形態に係る再生部によって録画番組が再生されている状態を示す表示画面の変形例である。
【図１２】本発明の他の実施形態に係るリスト生成部によってサムネイル一覧画像が重畳された録画リストの一例である。
【図１３】本発明の他の実施形態の変形例に係るリスト生成部によってサムネイル一覧画像が重畳された録画リストの他の一例である。
【図１４】本発明の実施形態に係るレコーダ、及びレコーダを備えるテレビジョン受像機の外観の一例を示す図である。
【発明を実施するための形態】
【００１２】
＜実施形態１＞
本発明の一実施形態に係る録画再生装置について、図１から図５を参照して以下に説明する。但し、この実施形態に記載されている構成は、特に特定的な記載がない限り、この発明の範囲をそれのみに限定する趣旨ではなく、単なる説明例に過ぎない。
【００１３】
なお、本実施形態に係る録画再生装置はレコーダによって実現されているため、以降ではレコーダとも記載する。また、本実施形態では、動画像が放送番組である場合を例に挙げて説明する。
【００１４】
〔録画再生装置の構成〕
まず、本実施形態に係るレコーダについて、図１を参照して説明する。図１は、本実施形態に係るレコーダ１の要部構成を示すブロック図である。
【００１５】
図１に示すように、本実施形態に係るレコーダ１は、チューナ１０、制御部２０、メモリ３０、赤外線受光部４０、および、通信部５０を備えている。
【００１６】
（チューナ）
チューナ１０は、地上デジタル放送により放送される放送番組、および、衛星放送により放送される放送番組などを受信するためのチューナである。チューナ１０は、例えば、受信信号をアナログベースバンド信号に変換するＲＦ部、アナログベースバンド信号をデジタルベースバンド信号に変換するＡＤＣ部、デジタルベースバンド信号からＭＰＥＧ２ストリームを復調する復調部、および、ＭＰＥＧ２ストリームから映像信号および音声信号を復号する復号部により構成することができる。
【００１７】
チューナ１０により復調されたＭＰＥＧ２ストリームは、バスを介して制御部２０に供給される。
【００１８】
なお、チューナ１０は、異なるチャンネルを介して放送される２つの放送番組を受信可能なダブルチューナであってもよいし、３つ以上の放送番組を受信可能なマルチチューナであってもよい。
【００１９】
（制御部）
制御部２０は、レコーダ１の備える各部を統合的に制御する手段であり、例えば、ＣＰＵ（Central Processing Unit）などによって構成される。
【００２０】
制御部２０は、赤外線受光部４０を介してリモコン（不図示）から受信したリモコン信号に応じて、レコーダ１の備える各部を制御する。赤外線受光部４０を用いた制御としては、例えば、チューナ１０の受信チャンネルをリモコン信号に応じて切り替える制御や、メモリ３０に記録されている放送番組を外部へ出力する制御などを挙げることができる。なお、制御部２０の詳細については、後述する。
【００２１】
（メモリ）
メモリ３０は、読み出し可能かつ書き込み不能なメモリ（ＲＯＭ）、および、読み出し可能かつ書き込み可能なメモリ（ＲＡＭ）などから構成される。メモリ３０のＲＯＭには、制御部２０によって実行されるプログラムなどの固定データが格納される。一方、メモリ３０のＲＡＭには、制御部２０が演算のために参照するデータや、制御部２０が演算によって生成したデータなどの可変データが格納される。
【００２２】
また、メモリ３０は、図１に示すように、放送番組格納部３０１、および、サムネイル格納部３０２を備えている。放送番組格納部３０１には、チューナ１０を介して受信される放送番組が格納（録画）される。また、サムネイル格納部３０２は、制御部２０によって生成されるサムネイルが格納される。なお、放送番組格納部３０１、および、サムネイル格納部３０２は、メモリ３０のＲＡＭに設けられていればよい。
【００２３】
なお、メモリ３０の放送番組格納部３０１およびサムネイル格納部３０２は、例えば、レコーダ１に内蔵されているＨＤ（ハードディスク）ドライブ（不図示）などによって実現されていてもよいし、その実現方法は特に限定されない。例えば、レコーダ１の外部に接続されている（外付）ＨＤドライブによって実現されていてもよいし、レコーダ１に内蔵または外付されているＤＶＤドライブおよびＢＤドライブ（何れも不図示）などによって実現されていてもよい。
【００２４】
（赤外線受光部）
赤外線受光部４０は、リモコンから送信されるリモコン信号を受信する。また、赤外線受光部４０は、受信したリモコン信号を制御部２０に通知する。
【００２５】
（通信部）
通信部５０は、外部機器を接続するためのインターフェースである。ＨＤＭＩ（登録商標）（High-Definition Multimedia Interface）機器を接続可能なＨＤＭＩインターフェースを挙げることができる。レコーダ１に接続可能なＨＤＭＩ機器としては、テレビジョン受像機およびディスプレイ装置などの表示装置が代表的である。
【００２６】
なお、通信部５０は、ＨＤＭＩインターフェースに限定されない。すなわち、ＨＤＭＩインターフェースは、例えば、ＡＴＡ（Advanced Technology Attachment）、ＡＴＡＰＩ（ATA Packet Interface）、ＩＥＥＥ１３９４、ＵＳＢ（Universal Serial Bus）、および、ＬＡＮなどの有線接続用インターフェース、あるいは、ＷｉＦｉ（登録商標）、赤外線通信、ＴｒａｎｓｆｅｒＪｅｔ、Ｂｌｕｅｔｏｏｔｈ（登録商標）、および、ＩＥＥＥ８０２１１などの無線接続用インターフェースに置換することが可能である。
【００２７】
さらに、ＳＤカードが接続されている場合には、このＳＤカードを外部機器として利用してもよい。
【００２８】
〔制御部の構成〕
次に、本実施形態に係るレコーダ１の備える制御部２０の詳細について説明する。制御部２０は、図１に示すように、録画部２０１、サムネイル画像生成部（サムネイル画像生成手段）２０２、サムネイル一覧画像生成部（一覧画像生成手段）２０３、リスト生成部２０４、および、再生部（再生手段、重畳手段、リスト生成手段）２０５を備えている。
【００２９】
（録画部）
録画部２０１は、チューナ１０を介して受信した放送番組を、メモリ３０の有する放送番組格納部３０１に格納する（以降では、単に、放送番組を録画する、とも記載する）。なお、録画部２０１による放送番組の録画は、例えば、赤外線受光部４０を介してリモコンから入力されるユーザ指示、および、録画予約などに基づいて行わるが、特に限定されない。
【００３０】
また、録画部２０１は、放送番組の録画を開始すると同時に、放送番組の録画を開始する旨をサムネイル画像生成部２０２に通知する。また、録画部２０１は、放送番組の録画の終了と同時に、放送番組の録画を終了する旨をサムネイル画像生成部２０２に通知する。
【００３１】
以降では、放送番組格納部３０１に記録された放送番組を、録画番組とも記載する。
【００３２】
（サムネイル画像生成部）
サムネイル画像生成部２０２は、録画番組を複数の期間に分け、各期間に対応したサムネイル画像を生成する。また、サムネイル画像生成部２０２は、サムネイル画像を、録画部２０１による放送番組の録画と並列して（つまり、リアルタイムに）生成する。
【００３３】
具体的には、サムネイル画像生成部２０２は、録画部２０１から放送番組の録画を開始する旨の通知を取得すると、まず、録画の開始された放送番組を構成する最初のフレーム画像からサムネイル画像を生成する。次に、サムネイル画像生成部２０２は、所定の期間が経過する度に、所定の期間が経過した直後のフレーム画像を用いてサムネイル画像を順次生成する。そして、放送番組の録画を終了する旨の通知を取得すると、サムネイル画像生成部２０２は、サムネイル画像の生成を終了する。
【００３４】
例えば、所定の期間が例えば５分である場合には、録画が開始された時点を含め、５分毎にサムネイル画像が生成される。つまり、放送番組の放送時間が１５分間である場合には、放送番組の放送開始〜５分までの部分を示すサムネイル画像、５分〜１０分までの部分を示すサムネイル画像、および、１０分〜１５分までの部分を示すサムネイル画像の３つのサムネイル画像が生成される。
【００３５】
もちろん、上記所定の期間は特に限定されるものではなく、１０分であってもよいし、２分３０秒であってもよいし、ユーザによって適宜設定された期間であってもよい。
【００３６】
また、上記所定の期間を、ユーザによって適宜切り替える構成としてもよい。例えば、所定の期間として５分と２分３０秒とを切り替えるためのポップアップが表示されている状態で、ユーザがリモコンの備える黄色ボタン（不図示）を押下することにより、所定の期間が切り替えられる構成を採用することができる。これによって、ユーザは、サムネイル画像が生成される間隔を、任意に設定することができる。
【００３７】
また、サムネイル画像生成部２０２におけるサムネイル画像の生成タイミングは、所定の期間毎に限定されるものではない。例えば、サムネイル画像生成部２０２は、放送番組の本編映像と、当該放送番組の途中に挿入されているＣＭとが切り替わるタイミングでサムネイル画像を生成してもよい。また、サムネイル画像生成部２０２は、放送番組の本編映像についてのみ所定の期間毎にサムネイル画像を生成し、ＣＭについては１つのサムネイルのみを生成する構成としてもよい。
【００３８】
サムネイル画像生成部２０２は、生成したサムネイル画像を、録画番組の対応する部分と関連づけて、メモリ３０のサムネイル格納部３０２に格納する。
【００３９】
なお、本実施形態では、サムネイル画像生成部２０２がサムネイル画像をリアルタイムで生成する場合を例に挙げて説明したが、これに限定されるものではなく、放送番組の録画が全て完了した後にサムネイル画像を生成してもよい。
【００４０】
また、本実施形態では、サムネイル画像生成部２０２が、録画番組の各期間を構成するフレーム群のうち、最初のフレーム画像を用いてサムネイル画像を生成する場合を例に挙げて説明したが、これに限定されるものではない。サムネイル画像生成部２０２は、録画番組の各期間を構成するフレーム群のうち、何れのフレーム画像を用いてサムネイル画像を生成してもよい。
【００４１】
（サムネイル一覧画像生成部）
サムネイル一覧画像生成部２０３は、サムネイル画像生成部２０２によって生成されたサムネイル画像の全部又は一部を時間順に配列したサムネイル一覧画像を生成する。
【００４２】
サムネイル一覧画像生成部２０３は、サムネイル画像を一覧表示する旨のリモコン信号（一覧画像生成指示）を赤外線受光部４０を介して取得すると、サムネイル一覧画像を生成する。ここで、サムネイル一覧画像とは、サムネイル画像生成部２０２によって生成された１枚以上のサムネイル画像を時間順に配列して１枚の一覧画像としたものである。
【００４３】
本実施形態では、サムネイル一覧画像生成部２０３は、８枚のサムネイル画像からサムネイル一覧画像を生成する場合を例に挙げて説明するが、これに限定されるものではない。例えば、６枚のサムネイル画像からサムネイル一覧画像を生成してもよいし、１０枚のサムネイル画像からサムネイル一覧画像を生成してもよい。なお、サムネイル一覧画像の詳細については、図面を変えて後述する。
【００４４】
サムネイル一覧画像生成部２０３は、一覧画像生成指示を取得すると、サムネイル格納部３０２から時間順に８枚のサムネイル画像を取得する。次に、サムネイル一覧画像生成部２０３は、取得した８枚のサムネイルを時間順に配列し、サムネイル一覧画像を生成する。
【００４５】
このとき、サムネイル一覧画像生成部２０３は、８枚のサムネイル画像を左から順に時間順に配列すればよいが、これに限定されず、右から順に時間順に配列してもよいし、上から下へ時間順に配列してもよい。
【００４６】
また、サムネイル一覧画像生成部２０３は、サムネイル一覧画像を複数毎生成してもよい。
【００４７】
具体的には、Ｎ番目からＮ＋Ｍ番目までのＭ＋１枚（ＮおよびＭは１以上の整数）のサムネイル画像を時間順に配列した第１のサムネイル一覧画像を後述するリスト生成部２０４または再生部２０５において録画番組または録画リストに重畳している間に、サムネイル一覧画像生成部２０３は、Ｎ＋１番目からＮ＋Ｍ＋１番目までのＭ＋１枚のサムネイル画像を時間順に配列した第２のサムネイル一覧画像、および、Ｎ−１番目からＭ番目までのＭ＋１枚のサムネイル画像を時間順に配列した第３のサムネイル一覧画像の少なくとも何れかを生成する。
【００４８】
例えば、ある録画番組に関連付けられているサムネイル画像が１０枚ある場合、時間順に１〜８番目のサムネイル画像、２〜９番目のサムネイル画像、および、３〜１０番目のサムネイル画像のそれぞれからサムネイル一覧画像を生成してもよい。この場合には、３枚のサムネイル一覧画像が一度に生成されることになる。
【００４９】
サムネイル一覧画像生成部２０３は、生成したサムネイル一覧画像を、リスト生成部２０４および再生部２０５に供給する。
【００５０】
（リスト生成部）
リスト生成部２０４は、放送番組格納部３０１に格納された録画番組のタイトルの全部または一部を一覧表示するためのリスト（録画リストとも呼称する）を生成する。具体的には、リスト生成部２０４は、録画リストを表示する旨のリモコン信号を赤外線受光部４０を介して取得すると、放送番組格納部３０１に格納された録画番組のタイトルを全部または一部取得し、取得したタイトルを一覧表示可能な録画リストを生成する。リスト生成部２０４は、生成した録画リストを、通信部５０を介して出力する。
【００５１】
また、リスト生成部２０４は、録画リストに含まれる録画番組のタイトルから１つのタイトルを選択する旨のユーザ操作を示すリモコン信号を赤外線受光部４０を介して受け付ける。なお、１つのタイトルを選択する旨のユーザ操作は、例えば、リモコンの備えるポップアップキー（不図示）を押下することなどによって行われればよい。
【００５２】
具体的には、リスト生成部２０４は、まず録画リストに含まれる録画番組のタイトルの何れか（例えば、リストの先頭に表示されるタイトル）を、例えばハイライトなどによって強調した録画リストを生成する。次に、リスト生成部２０４は、ユーザがリモコンの十字キー（不図示）などを操作することによって、録画リストにおいて強調表示されるタイトルを選択するリモコン信号を、赤外線受光部４０を介して受信する。そして、リスト生成部２０４は、受信したリモコン信号によって選択されたタイトルを強調した録画リストを生成する。
【００５３】
さらに、リスト生成部２０４は、サムネイル一覧画像生成部２０３から供給されたサムネイル一覧画像を、当該リスト生成部２０４において生成した録画リストに重畳する。具体的には、録画リストにおいてユーザに選択されたタイトルの録画番組のサムネイル一覧画像をサムネイル一覧画像生成部２０３から取得し、録画リストにおいて選択されたタイトルの近傍にサムネイル一覧画像を重畳する。
【００５４】
また、リスト生成部２０４は、サムネイル一覧画像に含まれるサムネイル画像のうち、録画リストにおいて選択されたタイトルの録画番組が再生部２０５によって前回再生された際の再生終了位置の属する期間、または、当該期間に隣接する期間に対応するサムネイル画像を強調したサムネイル一覧画像を録画リストに重畳する。
【００５５】
リスト生成部２０４は、サムネイル一覧画像を重畳した録画リストを、通信部５０を介して出力する。
【００５６】
また、リスト生成部２０４は、録画リストに含まれる録画番組のタイトルのうち、何れかのタイトルを再生するかを示すリモコン信号を赤外線受光部４０を介して取得すると、取得したリモコン信号の示すタイトルを再生部２０５に通知する。また、リスト生成部２０４は、録画リストに重畳されたサムネイル一覧画像に含まれるサムネイル画像の何れかを選択するリモコン信号を赤外線受光部４０を介して取得すると、取得したリモコン信号の示すサムネイル画像を再生部２０５に通知する。
【００５７】
なお、本実施形態では、リスト生成部２０４が、録画リストにサムネイル一覧画像を重畳する構成を例に挙げて説明したが、サムネイル画像の全部または一部を直接録画リストに重畳する構成を採用してもよい。
【００５８】
（再生部）
再生部２０５は、録画番組を再生する。具体的には、再生部２０５は、メモリ３０の放送番組格納部３０１から録画番組を読み出し、読み出した録画番組を通信部５０を介して出力する。なお、再生部２０５によって再生される録画番組は、例えば、ユーザがリモコンを操作することにより、直接選択されてもよいし、リスト生成部２０４によって生成された録画リストまたは当該録画リストに重畳されたサムネイル一覧画像から選択されてもよい。
【００５９】
また、再生部２０５は、再生中の録画番組に、サムネイル一覧画像生成部２０３から供給されるサムネイル一覧画像を重畳する。具体的には、再生部２０５は、再生中の録画番組にサムネイル一覧画像を重畳する旨のリモコン信号を赤外線受光部４０を介して取得すると、再生中の録画番組に当該再生中の録画番組のサムネイル一覧画像を重畳する。
【００６０】
このとき、再生部２０５は、再生中の録画番組に重畳されたサムネイル一覧画像に含まれるサムネイル画像のうち、当該録画番組の再生中の期間に（再生位置の属する期間）対応したサムネイル画像を強調してもよい。
【００６１】
再生部２０５は、再生中の録画番組にサムネイル一覧画像を重畳し、通信部５０を介して出力する。
【００６２】
また、再生部２０５は、再生中の録画番組に重畳されているサムネイル一覧画像に含まれるサムネイル画像の何れかが、ユーザのリモコン操作によって選択された場合、選択されたサムネイル画像の対応する期間から当該録画番組の再生を再開する。
【００６３】
なお、本実施形態では、再生部２０５が、再生中の録画番組にサムネイル一覧画像を重畳する構成を例に挙げて説明したが、サムネイル画像の全部または一部を直接再生中の録画番組に重畳する構成を採用してもよい。
【００６４】
〔表示画面〕
次に、本実施形態に係るレコーダ１から出力される録画リスト、および、再生される録画番組の示す表示画面の一例について、図２から図５を参照して説明する。なお、レコーダ１から出力される録画リスト、および、再生される録画番組の示す表示画面は、通信部５０に接続される外部の表示装置（不図示）などに表示されることによって、ユーザに提示されればよい。
【００６５】
（録画リスト）
まず、制御部２０の備えるリスト生成部２０４によって生成される録画リストを示す表示画像（録画リストとも呼称する）の一例について、図２を参照して説明する。図２は、本実施形態に係るリスト生成部２０４によって生成される録画リストの一例を示す図である。
【００６６】
図２に示すように、録画リストには、放送番組格納部３０１に格納された録画番組のタイトルが一覧可能に表示される。なお、図２に示す録画リストでは、１８の録画番組のタイトルが一覧表示されているが、一覧表示されるタイトルの数はこれに限定されない。
【００６７】
また、放送番組格納部３０１に１９以上の録画番組が格納されている場合、リスト生成部２０４は、録画リストをリストの先頭から末尾に向かう方向（図２においてタイトル１からタイトル１８へ向かう方向）にスクロールすることにより、一覧表示されていなかった録画番組のタイトルが新たに表示される録画リストを生成してもよい。
【００６８】
また、リスト生成部２０４は、タイトル１〜１８の第１の録画リスト、タイトル２〜１９の第２の録画リスト、タイトル３〜２０の第３の録画リスト、というように、複数の録画リストを生成してもよい。この場合には、録画リストをリストの先頭から末尾に向かう方向にスクロールされる度に、レコーダ１から出力される録画リストが、第１の録画リスト、第２の録画リスト、第３の録画リストと、順次切り替れば良い。
【００６９】
また、図２の矢印Ａに示すように、録画リストに含まれるタイトルのうち、１つのタイトルが強調（フォーカス）して表示（強調表示）される。この強調表示されるタイトルは、ユーザがリモコンの十字キーやジョグダイヤルなど（何れも不図示）を操作することによって切り替えられればよい。なお、録画リストに含まれるタイトルの強調表示は、例えば、強調するタイトルをハイライトしたり、強調するタイトルを囲う枠を太枠にしたりすることによって行われればよいが、特に限定されるものではない。
【００７０】
（サムネイル一覧画像の重畳された録画リスト）
図２に示すように、例えば「タイトル６」が強調表示されている状態で、当該「タイトル６」の録画番組を選択する旨のユーザ操作によるリモコン信号を受信すると、リスト生成部２０４は、当該録画番組のサムネイル一覧画像を録画リストに重畳する。
【００７１】
サムネイル一覧画像の重畳された録画リストの一例について、図３を参照して説明する。図３は、本実施形態に係るリスト生成部２０４によってサムネイル一覧画像の重畳された録画リストの一例を示す図である。
【００７２】
図３の矢印Ｂに示すように、「タイトル６」の録画番組のサムネイル一覧画像は、「タイトル６」に隣接するように重畳される。図３に示す例では、サムネイル一覧画像は、「タイトル６」の下側に表示されている。
【００７３】
また、図３の矢印Ｂに示すように、サムネイル一覧画像には、複数のサムネイル画像ａ、カーソルｂ、タイムバーｃ、矢印ｄ、および、サムネイル情報ｅが含まれている。
【００７４】
図３に示すように、サムネイル一覧画像には、時間順に１番目のサムネイル画像ａ１から、８番目のサムネイル画像ａ８までの８枚のサムネイル画像ａが含まれている。また、図３に示すように、時間順に２番目のサムネイル画像をａ２、３番目のサムネイル画像をａ３とする。
【００７５】
カーソルｂは、サムネイル一覧画像に含まれるサムネイル画像のうち、強調（選択）されているサムネイル画像を示している。カーソルｂは、録画リストに重畳したサムネイル一覧画像の表示が開始された時点では、録画リストにおいて選択されているタイトルの録画番組が前回再生された際の再生終了位置の属する期間に対応したサムネイル画像を強調している。なお、カーソルｂは、録画リストにおいて選択されているタイトルの録画番組が一度も再生されていない場合には、サムネイル一覧画像に含まれるサムネイル画像のうち、時間順に先頭に配列されたサムネイル画像を強調すればよい。
【００７６】
また、カーソルｂは、矢印ｄに従ってリモコンの十字キーなどを押下するユーザ操作により、サムネイル一覧画像に含まれるサムネイル画像間を移動可能である。例えば、図３に示すように、サムネイル一覧画像においてサムネイル画像ａ２が選択されている状態で、ユーザによってリモコンの十字キーの右ボタンが押下されると、カーソルｂは、サムネイル画像ａ３に移動する。
【００７７】
タイムバーｃは、選択されたタイトルの録画番組全体の再生時間を示している。また、タイムバーｃ中のバーｃ１は、選択されたタイトルの録画番組全体の再生時間に対する、サムネイル一覧画像に含まれるサムネイル画像ａの対応する期間を合計した再生時間の締める割合を示している。
【００７８】
また、バーｃ１は、サムネイル一覧画像に含まれる複数のサムネイル画像ａが、録画リストにおいて選択されたタイトルの録画番組全体のうち、何れの期間に対応するサムネイル画像であるかによって、タイムバーｃ中を移動する。
【００７９】
サムネイル情報ｅは、サムネイル一覧画像に含まれるサムネイル画像ａのうち、カーソルｂによって選択されているサムネイル画像に関する情報を表示する。
【００８０】
サムネイル情報ｅは、カーソルｂによって選択されているサムネイル画像が、「タイトル６」の録画番組の全期間に対応して生成されたサムネイル画像のうち、先頭のサムネイル画像から時間順に何番目のサムネイル画像であるかを示している。図３に示す例では、「タイトル６」の録画番組に対応するサムネイル画像の総数が１８枚であり、カーソルｂによって選択されているサムネイル画像が、時間順に２番目のサムネイル画像であることを示している。
【００８１】
また、サムネイル情報ｅは、カーソルｂによって選択されているサムネイル画像ａの対応する期間の開始点が、録画番組の開始点から何分後であるかを示している。図３に示す例では、サムネイル情報ｅは、カーソルｂによって選択されているサムネイル画像ａの対応する期間の開始点が、録画番組の開始点から１分３０秒後であることを示している。
【００８２】
次に、図３に示すサムネイル一覧画像の一例において、サムネイル一覧画像に含まれるサムネイル画像が切り替るタイミングについて説明する。なお、上述したように、カーソルｂは、ユーザによるリモコン操作によって、サムネイル一覧画像に含まれるサムネイル画像間を移動することが可能である。
【００８３】
まず、ユーザが矢印ｄに従ってリモコンの右ボタンを複数回押下（または、押下した状態を所定時間以上維持する）ことにより、カーソルｂがサムネイル画像ａ２からサムネイル画像ａ８まで移動する。この状態で、ユーザによってさらにリモコンの右ボタンが押下されると、カーソルｂは、９番目のサムネイル画像に移動しようとする。
【００８４】
このとき、リスト生成部２０４が、録画リストに重畳するサムネイル一覧画像を、１〜８番目のサムネイル画像を含むサムネイル一覧画像から２〜９番目のサムネイル画像を含むサムネイル一覧画像に切り替える。これによって、カーソルｂは、９番目のサムネイル画像に移動することが可能となる。
【００８５】
また、上述のように、１〜８番目のサムネイル画像を含むサムネイル一覧画像が録画リストに重畳されている時点で、サムネイル一覧画像生成部２０３によって２〜９番目のサムネイル画像を含むサムネイル一覧画像も生成されている。したがって、サムネイル一覧画像の切り替えの処理に要する時間を短縮することがでるため、サムネイル一覧画像の切り替えをスムーズに行なうことができる。
【００８６】
これによって、レコーダ１は、再生中の録画番組に重畳するサムネイル一覧画像を切り替える場合に、すでに生成されているサムネイル一覧画像を用いて切り替えることができる。従って、再生中の録画番組に重畳するサムネイル一覧画像を切り替える際に新たにサムネイル一覧画像を生成する必要がないため、レコーダ１は、再生中の録画番組に重畳するサムネイル一覧画像の切り替えに関する処理に要する時間を短縮することができる。
【００８７】
また、録画番組の分けられた期間のうち、最後の期間に対応するサムネイル画像が含まれるサムネイル一覧画像が表示されており、かつ、カーソルｂが時間順に最後のサムネイル画像を強調している状態で、ユーザによってリモコンの右ボタンが押下された場合には、例えば、当該最後の期間に対応するサムネイル画像の右側に、空白の領域を表示したのち、元の表示に戻るような表示処理をおこなってもよい。
【００８８】
なお、図３に示すように、サムネイル一覧画像は、選択されたタイトルの下側に、当該選択されたタイトルに隣接するように重畳して表示される場合を例に挙げて説明したが、これに限定されるものではない。例えば、図４に示すように、サムネイル一覧画像を、選択されたタイトルの上側に、当該選択されたタイトルに隣接するように重畳して表示してもよい。図４は、本実施形態に係るリスト生成部２０４によってサムネイル一覧画像の重畳された録画リストの他の一例を示す図である。
【００８９】
選択されたタイトルの下側にサムネイル一覧画像を重畳して表示できない（例えば、サムネイル一覧画像を表示するスペースがない）場合に、図４に示すように、サムネイル一覧画像を選択されたタイトルの上側に重畳して表示すればよい。また、選択されたタイトルの上側にサムネイル一覧画像を重畳して表示できない場合に限って、図３に示すように、サムネイル一覧画像を選択されたタイトルの下側に重畳して表示する構成を採用してもよい。
【００９０】
上述の構成によれば、レコーダ１は、サムネイル一覧画像を表示するために、録画リストを表示領域全体に表示している状態から、表示領域を録画リスト用と上記サムネイル一覧画像用とに分割した状態へ遷移する必要がない。また、録画リストの表示画面の大きさを縮小することによるユーザの視認性の低下を招くこともない。
【００９１】
これによって、レコーダ１は、録画リストの表示を一時的に中断することなく、また、当該録画リストの視認性の低下を抑えつつ、サムネイル一覧画像をユーザに提示することができる。
【００９２】
また、上述の構成によれば、リスト生成部２０４は、サムネイル一覧画像に含まれるサムネイル画像のうち、再生部２０５によって前回再生された際の再生終了位置の属する期間、または、当該期間に隣接する期間に対応したサムネイル画像を強調する。したがって、ユーザは、再生しようとしている録画番組を前回どの再生位置まで再生したかを容易に認識することができるため、当該録画番組を前回の続きから容易に再生させることができる。これによって、レコーダ１は、ユーザの操作性をさらに向上させることができる。
【００９３】
（再生画面）
次に、録画番組の再生画面の表示について説明する。
【００９４】
図３に示すように、録画リストに重畳されたサムネイル一覧画像に含まれる何れかのサムネイル画像が選択されると、選択されたサムネイル画像の対応する期間の先頭から、録画番組の再生が開始される。
【００９５】
もちろん、録画リストにサムネイル一覧画像を重畳して表示することなく、録画リストから再生用の録画番組が直接選択された場合にも、録画番組の再生が開始される。この場合には、選択された録画番組を最初から再生してもよいし、前回再生された際の再生終了位置から再生されてもよいし、特に限定されない。
【００９６】
（サムネイル一覧画像の重畳された再生画面）
次に、サムネイル一覧画像の重畳された、録画番組の再生画面の一例について、図５を参照して説明する。図５は、本実施形態に係る再生部２０５によってサムネイル一覧画像の重畳された再生画面の一例を示す図である。
【００９７】
録画番組が再生されている状態で、サムネイル一覧画像を表示する旨のリモコン信号を赤外線受光部４０を介して受信すると、再生部２０５は、図５に示すように、サムネイル一覧画像を重畳した状態で録画番組を再生する。
【００９８】
このとき、図５に示すように、再生画面に重畳されるサムネイル一覧画像は、例えば、表示画面の下方の領域に表示されることが好ましい。ただし、サムネイル一覧画像の表示位置は、これに限定されるものではなく、表示画面の上方であってもよいし、右方であってもよいし、左方であってもよい。つまり、サムネイル一覧画像の表示位置は、再生されている録画番組の内容に合わせて表示位置が変更可能である。さらに、サムネイル一覧画像の表示位置が、ユーザのリモコン操作によって変更可能な構成を採用してもよい。
【００９９】
図５の矢印Ｂに示すように、サムネイル一覧画像には、複数のサムネイル画像ａ、カーソルｂ、タイムバーｃ、バーｃ１、矢印ｄ、および、サムネイル情報ｅが含まれている。
【０１００】
図５に示すように、サムネイル一覧画像には、時間順に１番目のサムネイル画像ａ１から、８番目のサムネイル画像ａ８までの８枚のサムネイル画像ａが含まれている。
【０１０１】
カーソルｂは、サムネイル一覧画像に含まれるサムネイル画像のうち、当該サムネイル一覧画像が重畳されている放送番組の再生中の期間に対応したサムネイル画像を強調する。図５に示す例では、カーソルｂは、レコーダ１の再生部２０５によって再生中の録画番組の再生位置が、サムネイル画像ａ２に対応した期間に属していることを示している。
【０１０２】
また、カーソルｂは、再生部２０５によって再生中の録画番組の再生位置の進行に合わせて、サムネイル一覧画像に含まれるサムネイル画像ａ間を自動的に移動してもよい。例えば、再生中の録画番組の再生位置の属する期間が、サムネイル画像ａ２に対応する期間からサムネイル画像ａ３に対応する期間に遷移した場合には、カーソルｂは、サムネイル画像ａ２からサムネイル画像ａ３に自動的に移動する構成としてもよい。
【０１０３】
なお、サムネイル一覧画像に含まれる、タイムバーｃ、矢印ｄ、および、サムネイル情報ｅについては、図３に示すサムネイル一覧画像に含まれるタイムバーｃ、バーｃ１、矢印ｄ、および、サムネイル情報ｅと同様の機能を有するため、その説明を省略する。
【０１０４】
これによって、レコーダ１は、サムネイル画像を一覧可能に表示するために、再生中の録画番組を表示領域全体に表示している状態から、表示領域を録画番組用と上記サムネイル一覧画像用とに分割した状態へ遷移する必要がない。また、録画番組の再生画面の大きさを縮小することによるユーザの視認性の低下を招くこともない。
【０１０５】
これによって、上記録画再生手段は、録画番組の再生を一時的に中断することなく、また、当該録画番組の視認性の低下を抑えつつ、サムネイル画像を一覧可能にユーザに提示することができる。
【０１０６】
さらに、ユーザは、録画番組を視聴しつつ、サムネイル一覧画像を確認することができるため、例えば、サムネイル一覧画像に含まれるサムネイル画像のうち、所望のシーンに最も近いサムネイル画像を選択することによって所望のシーンを再生することができる。これによって、レコーダ１は、録画番組の視認性の低下を抑えつつも、所望のシーンを再生するためのユーザの操作性を向上させることができる。
【０１０７】
なお、本実施形態では、動画像が放送番組である場合を例に挙げて説明したが、これに限定されるものではなく、例えば、インターネットなどのネットワークを介して配信される配信番組などであってもよい。
【０１０８】
＜実施形態２＞
実施形態１では、レコーダ１が録画リスト、及び、録画番組の再生画面にサムネイル一覧画像を重畳して表示する構成を例に挙げて説明したが、本発明はこれに限定されるものではない。例えば、再生画面において、サムネイル一覧画像に含まれるサムネイルのうちカーソルにより選択（強調）されているサムネイルに対応する録画番組の一部分（シーン）を再生する構成を採用してもよい。
【０１０９】
〔レコーダの構成〕
本実施形態に係るレコーダ２について、図６及び図７を参照して説明する。図６は、本実施形態に係るレコーダ２の要部構成を示すブロック図である。
【０１１０】
図６に示すように、本実施形態に係るレコーダ２は、実施形態１に係るレコーダ１の構成（図１参照）に加え、再生時間位置制御部２０６をさらに備えている。また、本実施形態に係るレコーダ２は、レコーダ１の備える再生部２０５に変えて、再生部２０５’を備えている。
【０１１１】
（再生部）
再生部２０５’は、メモリ３０の放送番組格納部３０１から録画番組を読み出し、読み出した録画番組を通信部５０を介して出力する。
【０１１２】
また、再生部２０５’は、後述する再生時間位置制御部２０６からの指示に従い、サムネイル一覧画像に含まれるサムネイル画像のうち、カーソルにより選択されているサムネイル画像に対応する位置から録画番組を再生する。放送番組のうちサムネイル画像に対応する位置は、例えば、録画番組を構成する複数のフレーム画像のうち、サムネイル画像のサムネイル画像生成部２０２において生成されるサムネイル画像の元となるフレーム画像（サムネイル元画像）であればよい。また、放送番組のうちサムネイル画像に対応する位置は、サムネイル元画像よりも前のフレーム画像であってもよいし、本発明では特に限定されるものではない。
【０１１３】
（再生時間位置制御部）
再生時間位置制御部２０６は、再生部２０５’における、録画番組の再生開始位置を制御する。具体的には、再生時間位置制御部２０６は、録画番組を、サムネイル一覧画像に含まれるサムネイル画像のうちカーソルにより選択されているサムネイル画像に対応する位置から再生を開始するよう、再生部２０５’に通知する。
【０１１４】
また、再生時間位置制御部２０６は、再生部２０５’における、録画番組の再生時間を制御する。具体的には、再生時間位置制御部２０６は、或る再生開始位置からの再生が開始されてから所定の時間が経過すると、サムネイル一覧画像に含まれるカーソルを現在選択しているサムネイル画像から時間順に次のサムネイル画像に移動させるよう再生部２０５’に通知する。
【０１１５】
〔再生画面の一例〕
次に、ダイジェスト再生について、図７を参照して説明する。図７は、本実施形態に係る再生部２０５’によってサムネイル一覧画像の重畳された再生画面の一例を示す図である。
【０１１６】
録画番組の再生が開始されている状態で、サムネイル一覧画像を表示する旨のリモコン信号を赤外線受光部４０を介して受信すると、再生部２０５’は、図７に示すように、再生している録画番組に重畳してサムネイル一覧画像を表示する。図７に示すように、サムネイル一覧画像にはカーソルｂが含まれており、当該カーソルｂは、ユーザのリモコン操作により、サムネイル一覧画像に含まれるサムネイル画像間（つまり、サムネイル画像が表示されている領域間）を移動可能である。
【０１１７】
（ダイジェスト再生）
まず、赤外線受光部４０は、ダイジェスト再生指示を受信すると、受信したリモコン信号を再生時間位置制御部２０６に供給する。
【０１１８】
再生時間位置制御部２０６は、ダイジェスト再生指示を取得すると、サムネイル一覧画像に含まれるサムネイル画像のうちカーソルｂにより選択されているサムネイル画像（図７ではサムネイル画像ｆ）に対応する再生開始位置から録画番組を再生するよう、再生部２０５’を制御する。
【０１１９】
また、再生時間位置制御部２０６は、再生部２０５’により或る再生開始位置からの録画番組の再生が開始されると、録画番組の再生開始から所定の時間が経過したか否かを判定する。
【０１２０】
再生時間位置制御部２０６は、所定の時間が経過したと判定した場合、サムネイル一覧画像に含まれるカーソルｂを、現在選択されているサムネイル画像から時間順に次のサムネイル画像に移動させるよう、再生部２０５’を制御する。そして、再生時間位置制御部２０６は、カーソルｂにより新たに選択されたサムネイル画像に対応する再生開始位置から録画番組を再生するよう、再生部２０５’を制御する。
【０１２１】
再生部２０５’により或る再生開始位置の次の再生開始位置からの録画番組の再生が開始されると、再生時間位置制御部２０６は、また、録画番組の再生開始から所定の時間が経過したか否かを判定する。
【０１２２】
上述のようにして、再生時間位置制御部２０６は、再生部２０５’においてカーソルｂにより選択されているサムネイル画像に対応する再生開始位置から録画番組の再生が開始された時点から所定の時間が経過する度に、カーソルｂを現在選択されているサムネイル画像から他のサムネイル画像に移動させる。そして、再生部２０５’は、カーソルｂが移動する度に、再生時間位置制御部２０６からの指示に従い、カーソルｂにより選択されているサムネイル画像に対応する再生開始位置から録画番組を再生する。
【０１２３】
これにより、本実施形態に係るレコーダ２は、録画番組を一部分ずつ順次再生することにより、録画番組をダイジェストで再生することができる（ダイジェスト再生）。したがって、本実施形態に係るレコーダ２は、ユーザに対して、録画番組のダイジェストを提示することができる。また、ユーザは、録画番組のダイジェストを見ることによって、自分が所望するシーンがどのシーンであるかを、より容易に把握することができる。
【０１２４】
そして、再生部２０５’は、録画番組をダイジェスト再生している途中で、リモコンの決定ボタンの押下などによって指示されるユーザの決定指示を赤外線受光部４０を介して取得した場合には、ダイジェスト再生を停止し、決定指示を受け付けた時点から録画番組を通常再生する。
【０１２５】
また、再生部２０５’は、決定指示を受け付けた時点から録画番組を通常再生する代わりに、決定指示を受け付けたシーンの直前の再生開始位置から録画番組を通常再生してもよい。
【０１２６】
なお、本実施形態では、ダイジェスト再生される録画番組を再生画面の全体に表示する構成を例に挙げて説明しているが、本発明に係るダイジェスト再生はこれに限定されるものではない。例えば、再生画面に重畳されるサムネイル一覧画像において、サムネイル画像が表示される領域であってカーソルｂにより選択されている領域に、当該領域に表示されていたサムネイル画像に対応する再生開始位置から放送番組が再生される構成を採用してもよい。
【０１２７】
この構成によれば、レコーダ２は、録画番組を再生しつつ、サムネイル一覧画像において当該録画番組を各サムネイル画像に対応する各再生開始位置から順次再生することができる（つまり、録画番組をサムネイル一覧画像においてダイジェスト再生することができる）。したがって、レコーダ２は、録画番組の再生を一時的に中断することなく、また、当該録画番組の視認性の低下を抑えつつ、サムネイル画像を一覧可能にユーザに提示するとともに、各サムネイル画像に関連付けられている部分録画番組をダイジェストで再生ことができる。
【０１２８】
＜実施形態３＞
上述の実施形態では、録画番組の再生画面に当該再生中の録画番組のサムネイル一覧画像を重畳して表示する構成を例に挙げて説明したが、本発明はこれに限定されず、再生中の録画番組とは異なる録画番組のサムネイル一覧画像を重畳して表示することもできる。
【０１２９】
本発明の一実施形態に係る録画再生装置（レコーダ３）について、図８から図１０を参照して以下に説明する。また、説明の便宜上、上述の実施形態にて説明した部材と同じ機能を有する部材については、同じ符号を付記し、その説明を省略する。
【０１３０】
〔レコーダの構成〕
まず、本実施形態に係るレコーダ３について、図８を参照して説明する。図８は、本実施形態に係るレコーダ３の要部構成を示すブロック図である。
【０１３１】
図８に示すように、本実施形態に係るレコーダ３は、実施形態１に係るレコーダ１の構成（図１参照）に加え、関連番組検索部２１６をさらに備えている。また、本実施形態に係るレコーダ３は、レコーダ１の備える、サムネイル一覧画像生成部２０３、リスト生成部２０４および再生部２０５に変えて、サムネイル一覧画像生成部２１３、リスト生成部２１４および再生部２１５を備えている。
【０１３２】
（サムネイル一覧画像生成部）
サムネイル一覧画像生成部（一覧画像生成手段）２１３は、サムネイル画像生成部（サムネイル画像生成手段）２０２によって生成されたサムネイル画像の全部又は一部を時間順に配列したサムネイル一覧画像を生成する。サムネイル一覧画像生成部２１３は、サムネイル画像を一覧表示する旨のリモコン信号（一覧画像生成指示）を赤外線受光部（受付手段）４０を介して取得すると、サムネイル一覧画像を生成する。
【０１３３】
サムネイル一覧画像生成部２１３は、一覧画像生成指示を取得すると、サムネイル格納部３０２を参照することにより、再生中の録画番組のサムネイル一覧画像を生成する。また、サムネイル一覧画像生成部２１３は、再生中の録画番組とは異なる録画番組のサムネイル一覧画像を生成する。
【０１３４】
本実施形態では、サムネイル一覧画像生成部２１３が再生中の録画番組に関連する録画番組（以下、関連番組と称する）のサムネイル一覧画像を生成する場合を例に挙げて説明する。サムネイル一覧画像生成部２１３は、当該関連番組のサムネイル一覧画像を、関連番組検索部２１６（後述する）に検索させる。そして、サムネイル一覧画像生成部２１３は、関連番組検索部２１６による検索結果に基づいて、関連番組のサムネイル一覧画像を生成する。
【０１３５】
例えば、サムネイル一覧画像生成部２１３は、再生中の録画番組に対応するサムネイル画像が当該再生中の録画番組に重畳されている間に、関連番組であって再生中の録画番組の話数の１つ前の話数（再生中の録画番組がドラマのＮ話目である場合には、同じドラマのＮ−１話目）に対応するサムネイル一覧画像を生成する。生成されるサムネイル一覧画像の詳細については、図９および１０にて後述する。
【０１３６】
なお、サムネイル一覧画像生成部２１３におけるサムネイル一覧画像の生成については、実施形態１に係るサムネイル一覧画像生成部２０３と同様であるため、ここではその詳細な説明は省略する。
【０１３７】
サムネイル一覧画像生成部２１３は、生成したサムネイル一覧画像を、リスト生成部２１４および再生部２１５に供給する。
【０１３８】
なお、サムネイル一覧画像生成部２１３は、生成したサムネイル一覧画像を、リスト生成部２１４および再生部２１５に供給しながら、新たなサムネイル一覧画像を生成する構成としてもよい。
【０１３９】
（リスト生成部）
リスト生成部（リスト生成手段、重畳手段）２１４は、録画リストを生成する。具体的には、リスト生成部２１４は、録画リストを表示する旨のリモコン信号を赤外線受光部４０を介して取得すると、放送番組格納部３０１に格納された録画番組のタイトルを全部または一部取得し、取得したタイトルを一覧表示可能な録画リストを生成する。リスト生成部２１４は、生成した録画リストを、通信部５０を介して出力する。
【０１４０】
さらに、リスト生成部２１４は、サムネイル一覧画像生成部２１３から供給されたサムネイル一覧画像を、当該リスト生成部２１４において生成した録画リストに重畳する。具体的には、録画リストにおいてユーザに選択されたタイトルの録画番組のサムネイル一覧画像をサムネイル一覧画像生成部２１３から取得し、録画リストにおいて選択されたタイトルの近傍にサムネイル一覧画像を重畳する。そして、リスト生成部２１４は、サムネイル一覧画像を重畳した録画リストを、通信部５０を介して出力する。
【０１４１】
また、リスト生成部２１４は、録画リストに含まれる録画番組のタイトルのうち、何れかのタイトルを再生するかを示すリモコン信号を赤外線受光部４０を介して取得すると、取得したリモコン信号の示すタイトルを再生部２１５に通知する。また、リスト生成部２１４は、録画リストに重畳されたサムネイル一覧画像に含まれるサムネイル画像の何れかを選択するリモコン信号を赤外線受光部４０を介して取得すると、取得したリモコン信号の示すサムネイル画像を再生部２１５に通知する。
【０１４２】
なお、本実施形態に係るリスト生成部２１４は、関連番組を関連番組検索部２１６に検索させることにより、関連番組検索部２１６による検索結果に基づいて、関連番組の録画リストを生成することができてもよい。
【０１４３】
（再生部）
再生部（再生手段、重畳手段）２１５は、メモリ３０の放送番組格納部３０１から録画番組を読み出し、読み出した録画番組を通信部５０を介して出力する。なお、再生部２１５によって再生される録画番組は、例えば、ユーザがリモコンを操作することにより、直接選択されてもよいし、リスト生成部２１４によって生成された録画リストまたは当該録画リストに重畳されたサムネイル一覧画像から選択されてもよい。
【０１４４】
また、再生部２１５は、再生中の録画番組にサムネイル一覧画像を重畳する旨のリモコン信号を赤外線受光部４０を介して取得すると、再生中の録画番組に、サムネイル一覧画像生成部２１３から供給されるサムネイル一覧画像を重畳する。
【０１４５】
また、再生部２１５は、再生中の録画番組に重畳されているサムネイル一覧画像に含まれるサムネイル画像の何れかが、ユーザのリモコン操作によって選択された場合、選択されたサムネイル画像の対応する期間から当該録画番組の再生を再開する。
【０１４６】
なお、本実施形態では、再生部２１５が、再生中の録画番組にサムネイル一覧画像を重畳する構成を例に挙げて説明したが、サムネイル画像の全部または一部を直接再生中の録画番組に重畳する構成を採用してもよい。
【０１４７】
（関連番組検索部）
関連番組検索部（重畳手段）２１６は、サムネイル一覧画像生成部２１３およびリスト生成部２１４のうちいずれか一方からの通知に応じて、再生される録画番組に関連する録画番組（関連番組）を検索する。検索指示を示す情報がサムネイル一覧画像生成部２１３から通知された場合、関連番組検索部２１６は、検索結果として、関連番組におけるタイトルのリストを示すリスト情報を、サムネイル一覧画像生成部２１３に通知する。また、検索指示を示す情報がリスト生成部２１４から通知された場合、関連番組検索部２１６は、検索結果として、関連番組におけるタイトルのリストを示すリスト情報を、リスト生成部２１４に通知する。
【０１４８】
ここで、関連番組の識別について説明する。チューナ１０を介して受信される放送番組の各々は、録画部（録画手段）２０１において、例えば、番組ＩＤ、及び、放送番組が録画された日時（録画日時）が関連付けられた状態で、放送番組格納部３０１に格納される。本実施形態では、番組ＩＤは放送番組に対してシリーズ毎に付与されるＩＤであり、タイトルが同じ放送番組であれば話数が異なる（例えば、第１話、第２話、最終話など）場合であっても同一の番組ＩＤが付与される。なお、番組ＩＤは、放送番組に予め付与されている識別番号であってもよいし、放送番組の関連性が識別できる程度に変更されたＩＤであってもよいし、特に限定されない。
【０１４９】
関連番組検索部２１６は、放送番組格納部３０１に格納された放送番組に付与されているＩＤを参照することにより、再生される録画番組に関連する録画番組を検索する。さらに、関連番組検索部２１６は、検索した各放送番組の録画日時（又は各放送番組の録画順）を参照することによって、各放送番組の話数（第何話であるか）などを識別してもよい。また、関連番組検索部２１６は、各録画番組の名称（例えば「ドラマＡＡＡ第２話」）、並びに、各録画番組について各放送局及び電子番組表などから提供される放送番組の内容を示す番組情報などから、各放送番組の話数（第何話、第何回など）に関するキーワードを抽出し、各放送番組の話数（第何話であるか）などを識別してもよい。
【０１５０】
例えば、放送番組格納部３０１に格納された放送番組が、第２話から録画されている放送番組である場合、または第２話の放送番組と第３話の放送番組との間に特別番組などの臨時に放送される番組が放送される場合にも、関連番組検索部２１６は、各録画番組の名称、及び番組情報などを参照して、各放送番組の話数を識別することにより、より正確に各放送番組の話数を識別することができる。
【０１５１】
そして、サムネイル一覧画像生成部２１３は、関連番組検索部２１６によって抽出された各放送番組の話数に関するキーワードをサムネイル一覧画像に表示してもよい。例えば、サムネイル一覧画像生成部２１３は、各放送番組の話数に関するキーワードを、後述する図９の（ｃ）に示すサムネイル情報ｅ１として利用することができる。
【０１５２】
上記の構成によれば、再生部２１５は、再生中の動画像に、他の画像から生成されたサムネイル画像を重畳する。これにより、レコーダ３は、ユーザに対して、再生中の動画像と共に他の画像から生成されたサムネイル画像を提供することができる。つまり、ユーザは、動画像の再生中に他の動画像を再生させたい場合に、他の動画像を探すために再生中の動画像の再生を中断する必要がない。従って、レコーダ３は、ユーザによる所望の動画像の検索を容易にすることができる。
【０１５３】
上記の構成によれば、レコーダ３は、再生中の動画像に、当該再生中の動画像と所定の関係を有する他の画像から生成されたサムネイル画像を重畳する。これによって、レコーダ３は、動画像の再生を一時的に中断することなく、当該再生中の動画像と所定の関係を有する他の画像から生成されたサムネイル画像をユーザに提示することができる。ここで、上記の例では、所定の関係を有するとは、同じシリーズの番組であることを指すが、本実施形態はこれに限定されない。たとえば、番組のタイトルが同じ、出演者が同じ、ジャンルが同じなどの条件、またはこれらの組み合わせを、所定の関係として採用してもよい。
【０１５４】
〔シーンの選択〕
次に、再生中の録画番組とは異なる録画番組におけるシーンの選択について、図９および図１０を参照して説明する。
【０１５５】
（第Ｎ話から第（Ｎ−１）話への遷移）
図９は、本実施形態に係るレコーダ３のリスト生成部２１４及び再生部２１５により生成される画面の遷移の一例を示す図である。
【０１５６】
図９の（ａ）は、本実施形態に係るリスト生成部２１４によって生成される録画リストの示す表示画面の一例を示す図である。本実施形態では、関連番組の録画リストが表示される場合を例に挙げて説明するが、これに限定されるものではなく、再生中の録画番組と関連があるか否かによらず、複数の録画番組のサムネイルを録画時刻順に配列したものであってもよい。
【０１５７】
図９の（ａ）に示すように、表示画面における表示領域ｇには、関連番組の録画リストとともに、カーソルｂ１および欄Ａ１が表示されている。本実施形態における録画リストは、録画リストに含まれる関連番組の各々における一画像が、時間順に配列された状態である。カーソルｂ１は、録画リストに含まれる関連番組のうち、強調（選択）されている録画番組を示している。欄Ａ１には、カーソルｂ１にて強調されている録画番組のタイトルが表示されている。
【０１５８】
図９の（ｂ）は、再生部２１５によって録画番組が再生されている状態を示す表示画面の一例である。図９の（ａ）におけるカーソルｂ１にて強調された録画番組の再生が開始されると、図９の（ｂ）に示すように、当該録画番組が、表示領域ｇ全体に表示される状態で再生される。ここで、図９の（ｂ）にて再生される録画番組を、録画リストに含まれる関連番組の第３話とする。
【０１５９】
図９の（ｃ）は、再生中の録画番組におけるサムネイル一覧画像が重畳された状態で、録画番組が表示されていることを示す表示画面の一例である。図９の（ｂ）に示すように録画番組が再生されている状態で、再生部２１５が赤外線受光部４０を介してサムネイル一覧画像を表示する旨のリモコン信号を受信すると、図９の（ｃ）に示すように、サムネイル一覧画像を重畳した状態で録画番組が再生される。
【０１６０】
図９の（ｃ）のに示す例では、第３話の録画番組が表示領域ｇ全体に再生されている状態で、第３話の録画番組におけるサムネイル一覧画像Ｂ１が再生中の録画番組に重畳される。サムネイル一覧画像Ｂ１は、表示領域ｇの下側に表示されている。なお、サムネイル一覧画像Ｂ１は、表示領域ｇの上側、右側または左側に表示されていてもよい。
【０１６１】
サムネイル一覧画像Ｂ１には、複数のサムネイル画像ａ、カーソルｂ、タイムバーｃ、矢印ｄ、および、サムネイル情報ｅ１が含まれている。サムネイル情報ｅ１は、サムネイル一覧画像に含まれるサムネイル画像ａのうち、カーソルｂによって選択されているサムネイル画像に関する情報を表示する。例えば、サムネイル情報ｅ１は、録画番組のタイトル、録画番組の話数番号、録画番組のサムネイル画像の総数に対して時間順に何番目であるかを示すサムネイル番号、および、録画番組の開始点からカーソルｂによって選択されているサムネイル画像の開始点までの時間を表示する。
【０１６２】
図９の（ｃ）に示す例では、カーソルｂは、複数のサムネイル画像ａのうちサムネイル画像ａ１を選択した状態である。このため、サムネイル情報ｅ１は、サムネイル画像ａ１に関する情報を表示している。
【０１６３】
サムネイル情報ｅ１において、「ドラマＡＡＡ」はサムネイル画像ａ１の属する録画番組のタイトルを示し、「第３話」は話数番号を示している。また、サムネイル情報ｅ１において、「１／１８」は、第３話の録画番組に対応するサムネイル画像の総数が１８枚であり、カーソルｂによって選択されているサムネイル画像が、時間順に１番目のサムネイル画像であることを示している。また、サムネイル情報ｅ１において、「００：００：００」は、カーソルｂによって選択されているサムネイル画像ａ１の対応する期間の開始点が、録画番組の開始点から００分００秒であることを示している。
【０１６４】
ユーザは、矢印ｄに従ってリモコンの左右ボタンを押下することにより、再生中の録画番組と関連番組とをまたいでカーソルｂを移動させることができる。例えば、再生中の録画番組において一番左側に表示されたサムネイル画像（一番目のサムネイル画像）を選択した状態で、ユーザが矢印ｄに従って左ボタンを押下すると、カーソルｂは、再生中の録画番組をまたいで左側のサムネイル画像に移動しようとする。このとき、再生部２１５は、録画番組に重畳するサムネイル一覧画像を、再生中の録画番組に対応するサムネイル一覧画像から、関連番組に対応するサムネイル一覧画像に切り替える。例えば、再生部２１５は、図９の（ｃ）、（ｄ）に示すように、再生中の録画番組である「ドラマＡＡＡ」の「第３話」に対応するサムネイル一覧画像から、関連番組である「ドラマＡＡＡ」の「第２話」に対応するサムネイル一覧画像に切り替える。
【０１６５】
図９の（ｄ）は、再生中の録画番組とは異なる録画番組におけるサムネイル一覧画像が重畳された状態で、録画番組が表示されていることを示す表示画面の一例である。図９の（ｄ）に示す例は、第３話の録画番組が表示領域ｇ全体に再生されている状態で、第２話の録画番組におけるサムネイル一覧画像Ｂ１が再生中の録画番組に重畳されている。
【０１６６】
図９の（ｄ）に示すサムネイル一覧画像Ｂ１は、図９の（ｃ）に示すカーソルｂがサムネイル画像ａ１から左側に移動した後において切替えられたサムネイル一覧画像である。図９の（ｄ）に示すサムネイル一覧画像Ｂ１において、カーソルｂはサムネイル画像ｆ１を選択している。サムネイル画像ｆ１は、第２話の録画番組において一番右側に表示されるサムネイル画像（最後のサムネイル画像）である。このため、バーｃ１は、タイムバーｃにおいて右側の端に表示される。また、サムネイル一覧画像Ｂ１に含まれるサムネイル情報は、サムネイル情報ｅ１（図９の（ｃ）参照）から、サムネイル画像ｆ１に関する情報を示すサムネイル情報ｅ２に切替えられる。
【０１６７】
サムネイル情報ｅ２において、「第２話」は、サムネイル情報ｅ１における「第３話」（図９の（ｃ）参照）から切替えられ、サムネイル情報ｅ２における「１８／１８」は、サムネイル情報ｅ１における「１／１８」（図９の（ｃ）参照）から切替えられる。また、サムネイル情報ｅ２において、「００：４２：３０」は、カーソルｂによって選択されているサムネイル画像ｆ１の対応する期間の開始点が、録画番組の開始点から４２分３０秒であることを示している。
【０１６８】
図９の（ｅ）は、再生部２１５によって録画番組が再生されている状態を示す表示画面の一例である。図９の（ｄ）に示されるように、再生中の録画番組に重畳された、再生中の録画番組とは異なる録画番組におけるサムネイル一覧画像から、再生されるサムネイル画像が新たに選択されると、現在再生されていた録画番組から、新たに選択された録画番組に切り替わる。図９の（ｅ）に示す例では、図９の（ｂ）の話数（第３話）よりも１つ前の話数（第２話）の録画番組が表示されている。
【０１６９】
（第Ｎ話から第（Ｎ＋１）話への遷移）
図１０は、本実施形態に係るレコーダ３のリスト生成部２１４及び再生部２１５により生成される画面の遷移の一例を示す図である。
【０１７０】
図１０の（ａ）は、再生中の録画番組におけるサムネイル一覧画像が重畳された状態で、録画番組が表示されていることを示す表示画面の一例である。サムネイル一覧画像Ｂ１には、サムネイル情報ｅ３が含まれている。サムネイル情報ｅ３は、カーソルｂが選択しているサムネイル画像ａ９に関する情報を示す。サムネイル画像ａ９は、第３話の録画番組における最後のサムネイル画像である。このため、サムネイル情報ｅ３において、第３話の録画番組におけるサムネイル画像のうち最後の画像であることを示す「１８/１８」が表示される。
【０１７１】
また、図９の（ｃ）と同様に、再生中の録画番組において一番右側に表示されたサムネイル画像（一番最後のサムネイル画像）を選択した状態で、ユーザが矢印ｄに従って右ボタンを押下すると、カーソルｂは、再生中の録画番組と関連番組とをまたいで右側のサムネイル画像に移動する。このとき、再生部２１５は、録画番組に重畳するサムネイル一覧画像を、再生中の録画番組に対応するサムネイル一覧画像から、関連番組に対応するサムネイル一覧画像に切替える。
【０１７２】
図１０の（ｂ）は、再生中の録画番組とは異なる録画番組におけるサムネイル一覧画像が重畳された状態で、録画番組が表示されていることを示す表示画面の一例である。図１０の（ｂ）に示す例は、第３話の録画番組が表示領域ｇ全体に再生されている状態で、第４話の録画番組におけるサムネイル一覧画像Ｂ１が再生中の録画番組に重畳されている。
【０１７３】
図１０の（ｂ）に示すサムネイル一覧画像Ｂ１は、図１０の（ａ）に示すカーソルｂがサムネイル画像ａ９から右側に移動した後において切替えられたサムネイル一覧画像である。図１０の（ｂ）に示すサムネイル一覧画像Ｂ１において、カーソルｂは第４話の録画番組における一番目のサムネイル画像を選択している。当該サムネイル画像は、第４話の録画番組において一番左側に表示されるサムネイル画像である。このため、バーｃ１は、タイムバーｃにおいて左側の端に表示される。また、サムネイル情報ｅ４における「第４話」は、サムネイル情報ｅ３における「第３話」（図１０の（ａ）参照）から切替えられ、サムネイル情報ｅ４における「１／１８」は、サムネイル情報ｅ３における「１８／１８」（図１０の（ａ）参照）から切替えられる。
【０１７４】
図１０の（ｃ）は、再生部２１５によって録画番組が再生されている状態を示す表示画面の一例である。図１０の（ｂ）に示されるように、再生中の録画番組に重畳された、再生中の録画番組とは異なる録画番組におけるサムネイル一覧画像から、再生されるサムネイル画像が新たに選択されると、現在再生されていた録画番組から、新たに選択された録画番組に切り替わる。図１０の（ｃ）に示す例では、図１０の（ｂ）の話数（第３話）よりも１つ後の話数（第４話）の録画番組が表示されている。
【０１７５】
（第Ｎ話から他の録画番組への遷移）
図９および図１０にて上述した操作を繰り返すことにより、表示される録画番組が、第Ｎ話から第（Ｎ−１）話に遷移した後において、第（Ｎ−１）話から第Ｎ話に戻すことも可能である。
【０１７６】
また、表示される録画番組が、第Ｎ話から第（Ｎ＋１）話に遷移した後において、第（Ｎ＋１）話から第Ｎ話に戻すことも可能である。
【０１７７】
また、複数の話数をまたいで関連番組を再生することもできる。例えば、ユーザは、サムネイル一覧画像を第Ｎ話から第（Ｎ−１）話をまたいで第（Ｎ−２）話まで遷移させた後に、第（Ｎ−２）話の関連番組に対応するサムネイルの何れかを選択することにより、第（Ｎ−２）話を再生することもできる。
【０１７８】
なお、サムネイル一覧画像生成部２１３は、再生される録画番組が第Ｎ話から第（Ｎ−１）話に遷移した後に第（Ｎ−１）話の再生画面に第Ｎ話に対応するサムネイル一覧画像を生成する場合には、再生される録画番組が第（Ｎ−１）話に遷移する直前に再生されていた第Ｎ話の再生箇所に対応するサムネイル画像が強調表示されたサムネイル一覧画像を生成することが好ましい。このとき、サムネイル一覧画像生成部２１３は、カーソルｂの色と異なるカーソルによって強調表示してもよいし、サムネイル一覧画像に含まれる他のサムネイル画像よりも明るく（又は暗く）表示することにより強調表示してもよいし、特に限定されない。
【０１７９】
また、本実施形態に係る再生部２１５は、所定の指示を受け付けることにより、再生中の録画番組に重畳されるサムネイル一覧画像を、現在重畳されているサムネイル一覧画像の対応する録画番組とは異なる録画番組のサムネイル一覧画像に切り替えてもよい。ここで、所定の指示とは、例えば、リモコンの上ボタン（又は早送りボタン）、及び、下ボタン（又は巻き戻しボタン）などが押下されたことを示すリモコン信号である。
【０１８０】
再生部２１５は、下ボタンが押下された旨のリモコン信号を受信した場合には、サムネイル画像の対応する録画番組の話数を第Ｎ話から第（Ｎ−１）話に切り替えればよい。また、再生部２１５は、上ボタンが押下された旨のリモコン信号を受信した場合には、サムネイル画像の対応する録画番組の話数を第Ｎ話から第（Ｎ＋１）話に切り替えればよい。例えば、図９の（ｃ）に示す状態において、リモコンの上ボタンが押下された旨を示すリモコン信号を赤外線受光部４０を介して取得すると、再生部２１５は、再生中の録画番組である「ドラマＡＡＡ」の「第３話」に重畳されるサムネイル一覧画像を、図１０（ｂ）に示すように「ドラマＡＡＡ」の「第４話」に対応するサムネイル一覧画像に切り替える。
【０１８１】
この構成によれば、ユーザは、「ドラマＡＡＡ」の「第３話」に重畳されるサムネイル一覧画像を「ドラマＡＡＡ」の「第４話」に対応するサムネイル一覧画像に切り替える際に、「ドラマＡＡＡ」の「第３話」に対応するサムネイル一覧画像中のカーソルｂを１番目のサムネイル画像から１８番目のサムネイル画像まで移動させる必要がない。これにより、本実施形態に係るレコーダ３は、再生中の録画番組に重畳するサムネイル一覧画像の対応する録画番組を切り替える際のユーザビリティーを向上させることができる。
【０１８２】
上記の構成によれば、レコーダ３は、再生中の動画像に対して、当該再生中の動画像から生成されたサムネイル画像と他の動画像から生成されたサムネイル画像とを切り替えて重畳することができる。つまり、レコーダ３は、再生中の動画像の再生を継続させつつ、当該再生中の動画像を含めた複数の動画像に対応するサムネイル画像を各々切り替えて重畳させることができる。これにより、レコーダ３は、所望のシーンを再生するためのユーザの操作性をさらに向上させることができる。
【０１８３】
例えば、ユーザがドラマＡＡＡの第３話の動画像を視聴している最中に、出演者の初登場のシーンを一時的に確認する必要が生じた場合、ドラマＡＡＡの第３話の動画像の再生を中断することなく、ドラマＡＡＡの第１話および第２話の録画番組の中から効率的に所望のシーンを含むサムネイル画像を選択することができる。そして、所望のシーンを確認した後は、所望のシーンを含む動画像の再生を中断することなく、ユーザが最初に視聴していたドラマＡＡＡ第３話の動画像のサムネイル画像を選択することができる。
【０１８４】
上記の構成によれば、再生部２１５は、再生中の動画像に重畳するサムネイル画像として、時間順に配列したサムネイル一覧画像を重畳する。
【０１８５】
これによって、レコーダ３は、サムネイル画像を一覧可能なようにユーザに提示することができる。このため、レコーダ３は、所望のシーンを再生するためのユーザの操作性をさらに向上させることができる。
【０１８６】
上記の構成によれば、レコーダ３は、他の動画像のサムネイル一覧画像から１つのサムネイル画像を選択するユーザ指示を受け付けると、当該ユーザ指示によって選択されているサムネイル画像に対応する再生開始位置から他の動画像を再生する。
【０１８７】
このため、レコーダ３は、所望のシーンを再生するためのユーザの操作性をさらに向上させることができる。
【０１８８】
また、図９の（ｃ）に示すサムネイル一覧画像Ｂ１には、１つの録画番組における複数のサムネイル画像が表示されているが、サムネイル一覧画像生成部２１３は、さらに、複数の録画番組の各々に対応するサムネイル画像を録画番組毎に１つ表示してもよい。例えば、図９の（ｃ）のようにサムネイル一覧画像が録画番組に重畳されている状態で、さらにユーザによって特別な操作（例えば、十字キーの上ボタンを押下する操作、ポップアップキーを２回ほど押下する操作）が行われた場合、サムネイル一覧画像Ｂ１は、１つの録画番組における複数のサムネイル画像を表示している状態から、関連画像の各々に対応するサムネイル画像を関連番組毎に１つずつ表示している状態に切替えられる。
【０１８９】
上記の構成によれば、録画番組を再生している状態で、再生中の録画番組とは異なる録画番組を選択することが可能となる。このため、ユーザは、録画番組を視聴しつつ、視聴している録画番組と関連する複数の関連番組の中から所望の録画番組を選択することができる。
【０１９０】
＜実施形態４＞
本発明の一実施形態に係る表示画面について、図１１を参照して以下に説明する。図１１は、再生部２１５によって録画番組が再生されている状態を示す表示画面の変形例である。本実施形態に係るレコーダ３は、録画番組を表示する領域が２つ設けられるように２つの録画番組（再生中の録画番組、及び、他の録画番組）を再生する。
【０１９１】
図１１における表示領域ｈは、中領域ｈ１および小領域ｈ２を備える。中領域ｈ１は、小領域ｈ２よりも大きい表示領域であり、サムネイル一覧画像から選択されたサムネイル画像の属する録画番組を表示している。小領域ｈ２は、再生中の録画番組を表示している。なお、中領域ｈ１および小領域ｈ２に表示される録画番組は、再生されている状態でもよいし、一時停止されている状態でもよい。
【０１９２】
図１１の（ａ）は、図９の（ｅ）に示す表示画面の変形例を示す図である。図１１の（ａ）の左側に示すように、表示領域ｈにおいて、中領域ｈ１には第２話の録画番組が表示され、小領域ｈ２には第３話の録画番組が表示される。図１１の（ａ）の左側に示された状態で、２つの録画番組を表示している表示領域ｈを解除する旨の操作がユーザによって行われた場合、図１１の（ａ）の右側に示すように、表示領域ｇ全体に、中領域ｈ１に表示されている第２話の録画番組が表示される。
【０１９３】
図１１の（ｂ）は、図１１の（ａ）における中領域ｈ１および小領域ｈ２に表示されている録画番組を互いに入れ替えた表示画面を示す図である。図１１の（ａ）の左側に示された状態で、中領域ｈ１および小領域ｈ２に表示されている録画番組を互いに入れ替える旨の操作がユーザによって行われた場合、図１１の（ｂ）の左側に示すように、表示領域ｈにおいて、中領域ｈ１には第３話の録画番組が表示され、小領域ｈ２には第２話の録画番組が表示される。図１１の（ｂ）の左側に示された状態で、２つの録画番組を表示している表示領域ｈを解除する旨の操作がユーザによって行われた場合、図１１の（ｂ）の右側に示すように、表示領域ｇ全体に、中領域ｈ１に表示されている第３話の録画番組が表示される。
【０１９４】
＜実施形態５＞
実施形態３では、録画番組の再生画面に当該再生中の録画番組とは異なる録画番組のサムネイル一覧画像を重畳して表示する構成を例に挙げて説明したが、本発明はさらに、録画リストにおいて強調表示されている録画番組とは異なる録画番組のサムネイル一覧画像を表示する構成を採用することもできる。
【０１９５】
本実施形態に係るリスト生成部２１４によってサムネイル一覧画像が重畳された録画リストの一例について、図１２および図１３を参照しながら説明する。
【０１９６】
（サムネイル一覧画像が重畳された録画リスト）
図１２は、本実施形態に係るリスト生成部２１４によってサムネイル一覧画像が重畳された録画リストの一例である。図１２に示される録画リストは、複数の録画番組のタイトルを録画時刻順に配列したものである。
【０１９７】
図１２の矢印Ｂに示すように、録画番組のサムネイル一覧画像は、当該録画番組に隣接するように重畳される。図１２の（ａ）に示す例では、「タイトル１７」の録画番組のサムネイル一覧画像が、「タイトル１７」の上側に表示され、図１２の（ｂ）に示す例では、「タイトル６」の録画番組のサムネイル一覧画像が、「タイトル６」の上側に表示されている。
【０１９８】
図１２の（ａ）に示されるサムネイル情報は、「ドラマＡＡＡ」、「第３話」、「２／１８シーン」および「００：０２：３０」である。図１２の（ｂ）に示されるサムネイル情報は、「ドラマＡＡＡ」、「第２話」、「１７／１８シーン」および「００：４０：００」である。
【０１９９】
サムネイル情報によって、図１２における「タイトル１７」と「タイトル６」とは、同一タイトルであるという点で関連する録画番組であり、放送日時が異なる録画番組であることが示される。しかしながら、図１２における録画リストでは、「タイトル１７」と「タイトル６」との間には、「タイトル１７」とは異なるタイトルの録画番組が表示されており、「タイトル１７」と「タイトル６」とは隣接した位置に表示されていない。
【０２００】
本実施形態では、複数の録画番組のタイトルを録画時刻順に配列した録画リストに、矢印Ａに示すように強調表示されたタイトルの録画番組とは異なる録画番組（例えば、関連番組）におけるサムネイル一覧画像を重畳する。
【０２０１】
（関連番組におけるサムネイル一覧画像が重畳された録画リスト）
図１２は、本実施形態に係るリスト生成部２１４によってサムネイル一覧画像が重畳された録画リストの一例である。図１２に示される録画リストは、複数の録画番組のタイトルを録画時刻順に配列したものである。なお、サムネイル一覧画像が重畳される録画リストは、録画時刻順に配列したものに限定するものではなく、例えば、録画番組のタイトル毎に配列したもの、または、録画番組のデータの容量が多い（低い）順に配列したものであってもよい。
【０２０２】
図１２の矢印Ｂに示すように、録画リストにおいて（選択）されている録画番組のサムネイル一覧画像は、当該強調表示されている録画番組に隣接するように重畳される。図１２の（ａ）に示す例では、強調表示されている「タイトル１７」の録画番組のサムネイル一覧画像が、「タイトル１７」の上側に表示され、図１２の（ｂ）に示す例では、強調表示されている「タイトル６」の録画番組のサムネイル一覧画像が、「タイトル６」の上側に表示されている。
【０２０３】
図１２の（ａ）に示すように、「タイトル１７」の録画番組は、「ドラマＡＡＡ」の「第３話」である。また、当該録画番組に対応するサムネイル一覧画像においてカーソルにより強調されているサムネイル画像は、「２／１８シーン」に対応し、再生の開始点が当該録画番組の開始点から２分３０秒である期間に対応するサムネイル画像である。
【０２０４】
図１２の（ａ）に示す表示画面において、矢印ｄに従ってサムネイル一覧画像中のカーソルを左側へ移動させていくと、カーソルは「タイトル１７」の録画番組に対応するサムネイル一覧画像において、一番左側（１番目）のサムネイル画像ａ１を選択する状態となる。この状態からさらに、矢印ｄに従ってカーソルｂを左方向に移動させると、録画リストに重畳されているサムネイル一覧画像が、録画リストにおいて現在強調表示されている録画番組と異なる録画番組に対応するサムネイル一覧画像に切り替わる。
【０２０５】
図１２に示す例では、図１２の（ｂ）に示すように、録画リストに重畳されるサムネイル一覧画像は、「ドラマＡＡＡ」の「第２話」である録画番組に対応するサムネイル一覧画像に切り替わる。なお、サムネイル一覧画像におけるカーソルの移動、及び、サムネイル一覧画像の切り替わりについては、図９と同様であるため、ここでその詳細な説明は省略する。
【０２０６】
さらに、本実施形態では、録画リストにおいて強調表示される録画番組は、サムネイル一覧画像の切り替わりと連動して、切り替わった後のサムネイル一覧画像に対応する録画番組に切り替わる。換言すれば、録画リストに重畳されるサムネイル一覧画像が切り替わると、録画リストにおいて強調される録画番組も、切り替わった後のサムネイル一覧画像に対応する録画番組に切り替わる。
【０２０７】
図１２に示すように、「タイトル１７」と「タイトル６」とは、録画番組のタイトルが同一であるという点で関連する録画番組であり、放送日時が異なることから話数の異なる関連番組である。しかしながら、図１２における録画リストに示すように、「タイトル１７」と「タイトル６」との間には、これらの録画番組と関連の無い録画番組（「タイトル７」〜「タイトル１６」）が録画されている。このため、ユーザは、「タイトル１７」と関連する「タイトル６」を探すために手間を要してしまう。
【０２０８】
これに対し、本実施形態の構成によれば、録画リストに重畳されるサムネイル一覧画像が「タイトル１７」に対応するサムネイル一覧画像から「タイトル６」に対応するサムネイル一覧画像に切り替わると共に、録画リストにおいて強調表示される録画番組が「タイトル１７」から「タイトル６」に切り替わる。このため、ユーザは、「タイトル１７」と関連する「タイトル６」を探す必要がない。従って、実施形態に係るレコーダ３は、本録画リストにおいてユーザが所望の録画番組を探す際のユーザビリティーを向上させることができる。
【０２０９】
上記の構成によれば、レコーダ３は、一覧表示されている複数の動画像のうちの或る動画像を強調し、上記或る動画像とは異なる他の動画像から生成された上記サムネイル画像を重畳する。これによって、レコーダ３は、上記或る動画像の強調を中断することなく、上記或る動画像とは異なる他の動画像から生成された上記サムネイル画像をユーザに提示することができる。これにより、ユーザは、上記一覧表示されている複数の動画像から、何れの動画像が所望の動画像であるかを容易に確認することができる。従って、上記録画再生装置は、ユーザによる所望の動画像の検索を容易にすることができる。それゆえ、上記録画再生装置は、所望のシーンを再生するためのユーザの操作性をさらに向上させることができる。
【０２１０】
また、図１２に示される録画リストが、録画番組のタイトル毎に配列したものである場合、関連番組が連続して配列されることが多いため、このような録画リストにおいてはユーザが録画リストから関連番組を探すことが比較的容易である。一方で、図１２に示される録画リストが、関連番組を連続して配列したものでない場合（例えば、複数の録画番組のタイトルを録画時刻順に配列したもの、または録画番組のデータの容量が多い（低い）順に配列したものなど）には、ユーザが録画リストから関連番組を探すことが容易ではなく、これは録画番組の数が増える程顕著になる。
【０２１１】
このような場合であっても、本実施形態に係るレコーダ３は、ユーザが録画リストに重畳されているサムネイル一覧画像のカーソルを操作するだけで関連番組の検索をユーザが容易に行うことができる。従って、本実施形態に係るレコーダ３は、録画リストの並び順がどのような順であっても、録画リストの並び順を切り替えることなく、ユーザが関連番組を容易に探すことができ、ユーザの操作性をさらに向上させることができる。
【０２１２】
〔変形例〕
本実施形態では、録画リストに重畳されるサムネイル一覧画像が当該録画リストにおいて強調表示されている録画番組に対応するサムネイル一覧画像から強調表示されている録画番組に関連する関連番組に対応するサムネイル一覧画像に切り替わる際に、録画リストにおいて強調表示される録画番組が関連番組に切り替わる構成を例に説明したが、これに限定されず、録画リストにおいて強調表示される録画番組は切り替わらなくてもよい。
【０２１３】
本実施形態の変形例について、図１３を参照して説明する。図１３は、本実施形態の変形例に係るリスト生成部２１４によってサムネイル一覧画像が重畳された録画リストの他の一例である。
【０２１４】
図１３の（ａ）に示す録画リストでは、「タイトル１７」が強調表示されており、録画リストに重畳されているサムネイル一覧画像は「タイトル１７」の録画番組におけるものである。図１３の（ａ）に示された状態で、矢印ｄに従ってカーソルｂを左方向に移動させていくと、カーソルｂは、「タイトル１７」の録画番組のサムネイル一覧画像において、一番左側（１番目）のサムネイル画像ａ１を選択する状態となる。この状態からさらに、矢印ｄに従ってカーソルｂを左方向に移動させると、録画リストに重畳されているサムネイル一覧画像が、「タイトル１７」におけるサムネイル一覧画像から、「タイトル１７」の録画番組に関連している「タイトル６」におけるサムネイル一覧画像に切り替わる。
【０２１５】
図１３の（ｂ）は、関連番組に切り替わったサムネイル一覧画像が重畳された録画リストの一例を示す図である。図１３の（ｂ）に示す例では、図１３の（ａ）の矢印ｄに従って、カーソルｂを左方向に３回移動させた場合における表示画面である。図１３の（ｂ）では、「タイトル１７」が強調表示されているが、録画リストに重畳されているサムネイル一覧画像は、サムネイル画像ｆ２が属する「タイトル６」の録画番組におけるものである。
【０２１６】
なお、図１３の（ｂ）に示す例において、録画リストにおいて、サムネイル一覧画像の対応する録画番組のタイトル（タイトル６）が、矢印Ａが示す現在強調表示されている録画番組のタイトル（タイトル１７）とは異なる態様で強調表示されてもよい。例えば、矢印Ａの示す強調表示の色と異なる色で強調表示されてもよいし、同一色であっても異なるトーンで強調表示されてもよいし、カーソルなどによって強調表示してもよいし、強調表示の方法は特に限定されない。
【０２１７】
図１３に示す録画リストは、図９の（ａ）に示す録画リストとしてもよい。図９の（ａ）に示す録画リストを図１３に示す録画リストに適用する場合、図９の（ａ）の表示領域ｇに表示される録画番組は、同一名称を有する関連番組であってもよいし、複数の録画番組を録画時刻順に配列したものであってもよい。
【０２１８】
〔ソフトウェアによる実現例〕
レコーダ３の制御ブロック（特にサムネイル一覧画像部２１３、リスト生成部２１４、再生部２１５および関連番組検索部２１６）は、集積回路（ＩＣチップ）等に形成された論理回路（ハードウェア）によって実現してもよいし、ＣＰＵ（Central Processing Unit）を用いてソフトウェアによって実現してもよい。
【０２１９】
後者の場合、レコーダ３は、各機能を実現するソフトウェアであるプログラムの命令を実行するＣＰＵ、上記プログラムおよび各種データがコンピュータ（またはＣＰＵ）で読み取り可能に記録されたＲＯＭ（Read Only Memory）または記憶装置（これらを「記録媒体」と称する）、上記プログラムを展開するＲＡＭ（Random Access Memory）などを備えている。そして、コンピュータ（またはＣＰＵ）が上記プログラムを上記記録媒体から読み取って実行することにより、本発明の目的が達成される。上記記録媒体としては、「一時的でない有形の媒体」、例えば、テープ、ディスク、カード、半導体メモリ、プログラマブルな論理回路などを用いることができる。また、上記プログラムは、該プログラムを伝送可能な任意の伝送媒体（通信ネットワークや放送波等）を介して上記コンピュータに供給されてもよい。なお、本発明は、上記プログラムが電子的な伝送によって具現化された、搬送波に埋め込まれたデータ信号の形態でも実現され得る。
【０２２０】
〔付記事項〕
上述したレコーダ１の外観の一例を図１４の（ａ）に示す。レコーダ２、３の外観につても同様である。また、図１４の（ｂ）に、上述したレコーダ１、２または３を備えるテレビジョン受像機１０００の外観の例を示す。
【０２２１】
〔まとめ〕
本発明の態様１に係る録画再生装置（レコーダ３）は、動画像を録画する録画手段（録画部２０１）と、上記録画手段によって録画される動画像を複数の期間に分け、各期間に対応したサムネイル画像を生成するサムネイル画像生成手段（サムネイル画像生成部２０２）と、上記録画手段によって録画された動画像を再生する再生手段（再生部２１５）と、上記再生手段によって再生中の動画像に、上記サムネイル画像生成手段によって生成された上記サムネイル画像を重畳する重畳手段（再生部２１５）と、を備え、上記重畳手段は、上記再生中の動画像に当該再生中の動画像とは異なる他の動画像から生成されたサムネイル画像を重畳する。
【０２２２】
上記の構成によれば、上記再生手段は、上記再生中の動画像に、上記他の画像から生成されたサムネイル画像を重畳する。これにより、上記録画再生装置は、ユーザに対して、上記再生中の動画像と共に上記他の画像から生成されたサムネイル画像を提供することができる。つまり、ユーザは、上記動画像の再生中に上記他の動画像を再生させたい場合に、上記他の動画像を探すために上記再生中の動画像の再生を中断する必要がない。従って、上記録画再生装置は、ユーザによる所望の動画像の検索を容易にすることができる。
【０２２３】
本発明の態様２に係る録画再生装置は、上記態様１において、上記重畳手段は、上記再生中の動画像に、当該再生中の動画像と所定の関係を有する上記他の画像から生成されたサムネイル画像を重畳してもよい。
【０２２４】
上記の構成によれば、上記録画再生装置は、上記再生中の動画像に、当該再生中の動画像と所定の関係を有する上記他の画像から生成されたサムネイル画像を重畳する。これによって、上記録画再生装置は、上記動画像の再生を一時的に中断することなく、当該再生中の動画像と所定の関係を有する上記他の画像から生成されたサムネイル画像をユーザに提示することができる。
【０２２５】
本発明の態様３に係る録画再生装置は、上記態様１又は２において、上記重畳手段は、上記再生中の動画像から生成されたサムネイル画像と上記他の画像から生成されたサムネイル画像とを切り替えて上記再生中の動画像に重畳してもよい。
【０２２６】
上記の構成によれば、上記録画再生装置は、上記再生中の動画像に対して、当該再生中の動画像から生成されたサムネイル画像と上記他の動画像から生成されたサムネイル画像とを切り替えて重畳することができる。つまり、上記録画再生装置は、上記再生中の動画像の再生を継続させつつ、当該再生中の動画像を含めた複数の動画像に対応するサムネイル画像を各々切り替えて重畳させることができる。これにより、上記録画再生装置は、所望のシーンを再生するためのユーザの操作性をさらに向上させることができる。
【０２２７】
例えば、ユーザがドラマＡＡＡの第３話の動画像を視聴している最中に、出演者の初登場のシーンを一時的に確認する必要が生じた場合、ドラマＡＡＡの第３話の動画像の再生を中断することなく、ドラマＡＡＡの第１話および第２話の録画番組の中から効率的に所望のシーンを含むサムネイル画像を選択することができる。そして、所望のシーンを確認した後は、所望のシーンを含む動画像の再生を中断することなく、ユーザが最初に視聴していたドラマＡＡＡ第３話の動画像のサムネイル画像を選択することができる。
【０２２８】
本発明の態様４に係る録画再生装置は、上記態様１から３の何れか１態様において、上記サムネイル画像生成手段によって動画像から生成されたサムネイル画像の全部又は一部を時間順に配列したサムネイル一覧画像を生成する一覧画像生成手段（サムネイル一覧画像生成部２１３）をさらに備え、上記重畳手段は、上記再生中の動画像に、上記他の動画像から生成されたサムネイル画像の全部又は一部から上記一覧画像生成手段によって生成されたサムネイル一覧画像を重畳する。
【０２２９】
上記の構成によれば、上記重畳手段は、上記再生中の動画像に重畳するサムネイル画像として、時間順に配列したサムネイル一覧画像を重畳する。
【０２３０】
これによって、上記録画再生装置は、上記サムネイル画像を一覧可能なようにユーザに提示することができる。このため、上記録画再生装置は、所望のシーンを再生するためのユーザの操作性をさらに向上させることができる。
【０２３１】
本発明の態様５に係る録画再生装置は、上記態様４において、上記サムネイル一覧画像に含まれるサムネイル画像から１つのサムネイル画像を選択するユーザ指示を受け付ける受付手段（赤外線受光部４０）を更に備え、上記再生手段は、上記受付手段により上記他の動画像のサムネイル一覧画像から１つのサムネイル画像を選択するユーザ指示を受け付けると、当該ユーザ指示によって選択されているサムネイル画像に対応する再生開始位置から上記他の動画像を再生する、
上記の構成によれば、上記録画再生装置は、上記他の動画像のサムネイル一覧画像から１つのサムネイル画像を選択するユーザ指示を受け付けると、当該ユーザ指示によって選択されているサムネイル画像に対応する再生開始位置から上記他の動画像を再生する。
【０２３２】
このため、上記録画再生装置は、所望のシーンを再生するためのユーザの操作性をさらに向上させることができる。
【０２３３】
本発明の態様６に係る録画再生装置（レコーダ３）は、動画像を録画する録画手段（録画部２０１）と、上記録画手段によって録画される動画像を複数の期間に分け、各期間に対応したサムネイル画像を生成するサムネイル画像生成手段（サムネイル画像生成部２０２）と、上記録画手段によって録画された複数の動画像のリスト（録画リスト）であって、上記複数の動画像のうちの或る動画像が強調して表示されるリストを生成するリスト生成手段（リスト生成部２１４）と、上記リスト生成手段によって生成されたリストに、上記サムネイル画像生成手段によって上記或る動画像とは異なる他の動画像から生成された上記サムネイル画像を重畳する重畳手段（リスト生成部２１４）と、を備えている。
【０２３４】
上記の構成によれば、上記録画再生装置は、一覧表示されている複数の動画像のうちの或る動画像を強調し、上記或る動画像とは異なる他の動画像から生成された上記サムネイル画像を重畳する。これによって、上記録画再生装置は、上記或る動画像の強調を中断することなく、上記或る動画像とは異なる他の動画像から生成された上記サムネイル画像をユーザに提示することができる。これにより、ユーザは、上記一覧表示されている複数の動画像から、何れの動画像が所望の動画像であるかを容易に確認することができる。従って、上記録画再生装置は、ユーザによる所望の動画像の検索を容易にすることができる。それゆえ、上記録画再生装置は、所望のシーンを再生するためのユーザの操作性をさらに向上させることができる。
【０２３５】
本発明の態様７に係る録画再生方法は、録画再生装置の録画再生方法であって、動画像を録画する録画ステップと、上記録画ステップにおいて録画される動画像を複数の期間に分け、各期間に対応したサムネイル画像を生成するサムネイル画像生成ステップと、上記録画ステップにおいて録画された動画像を再生する再生ステップと、上記再生ステップにおいて再生中の動画像に、上記サムネイル画像生成ステップにおいて当該再生中の動画像とは異なる他の動画像から生成されたサムネイル画像を重畳する重畳ステップと、を含んでいる。
【０２３６】
上記の構成によれば、上記態様１と同様の効果を奏する。
【０２３７】
本発明の各態様に係る録画再生装置を備えるテレビジョン受像機（１０００）も本明細書に記載された発明の範疇に含まれる。
【０２３８】
また、本発明の各態様に係る録画再生装置は、コンピュータによって実現してもよく、この場合には、コンピュータを上記録画再生装置が備える各手段として動作させることにより上記録画再生装置をコンピュータにて実現させる録画再生装置の制御プログラム、およびそれを記録したコンピュータ読み取り可能な記録媒体も、本発明の範疇に入る。
【０２３９】
上記の構成によれば、上記態様１と同様の効果を奏する。
【０２４０】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。さらに、各実施形態にそれぞれ開示された技術的手段を組み合わせることにより、新しい技術的特徴を形成することができる。
【産業上の利用可能性】
【０２４１】
本発明の録画再生装置は、ＤＶＤレコーダ、ＢＤレコーダおよびＨＤレコーダ、並びに、動画像を録画可能なメモリを有するテレビジョン受像機、電子黒板および電子看板などに好適に適用することができる。
【符号の説明】
【０２４２】
１，２，３                レコーダ（録画再生装置）
１０                      チューナ
２０，２１                制御部
３０                      メモリ
４０                      赤外線受光部（受付手段）
５０                      通信部
２０１                    録画部（録画手段）
２０２                    サムネイル画像生成部（サムネイル画像生成手段）
２０３                    サムネイル一覧画像生成部
２１３                    サムネイル一覧画像生成部（一覧画像生成手段）
２０４                    リスト生成部
２１４                    リスト生成部（リスト生成手段、重畳手段）
２０５、２０５’          再生部
２１５                    再生部（再生手段、重畳手段）
２０６                    再生時間位置制御部
２１６                    関連番組検索部（重畳手段）
３０１                    放送番組格納部
３０２                    サムネイル格納部
１０００                  テレビジョン受像機
【図１】
2015198440.tif 000003
【図２】
2015198440.tif 000004
【図３】
2015198440.tif 000005
【図４】
2015198440.tif 000006
【図５】
2015198440.tif 000007
【図６】
2015198440.tif 000008
【図７】
2015198440.tif 000009
【図８】
2015198440.tif 000010
【図９】
2015198440.tif 000011
【図１０】
2015198440.tif 000012
【図１１】
2015198440.tif 000013
【図１２】
2015198440.tif 000014
【図１３】
2015198440.tif 000015
【図１４】
2015198440.tif 000016